(57)【要約】【課題】操作者の利便性を大きく向上することができる無線タグ並びに無線タグ作成端末及び無線タグ読み取り端末を提供する【解決手段】情報を記憶するＩＣ回路部１５０を備えた無線タグ回路素子Ｔoとの間で無線通信により情報の送受信を行うタグカード製造装置３００のアンテナ３０６と、処理対象となる電子ファイルに関するファイル付加情報を生成すると共に、ＩＣ回路部１５０へのタグアクセス情報を生成するタグカード製造装置３００の制御回路３０２と、少なくとも、ファイル付加情報及びタグアクセス情報をアンテナ３０６を介して無線タグ回路素子Ｔoへ送信し、ＩＣ回路部１５０への情報書き込みを行う高周波回路３０１とを有する。【選択図】図２
2008065387.tif 000002
【特許請求の範囲】
【請求項１】
情報を記憶するＩＣ回路部を備えた無線タグ回路素子との間で無線通信により情報の送受信を行う作成側アンテナと、
処理対象となる電子ファイルに関するファイル付加情報を生成するファイル付加情報生成手段と、
前記ＩＣ回路部へのタグアクセス情報を生成するタグアクセス情報生成手段と、
少なくとも、ファイル付加情報及び前記タグアクセス情報を前記作成側アンテナを介して前記無線タグ回路素子へ送信し、前記ＩＣ回路部への情報書き込みを行う作成側情報アクセス手段とを有することを特徴とする無線タグ作成端末。
【請求項２】
請求項１記載の無線タグ作成端末において、
前記ファイル付加情報生成手段は、
前記ファイル付加情報として、前記電子ファイルの属性に係わる属性情報を生成する
ことを特徴とする無線タグ作成端末。
【請求項３】
請求項１記載の無線タグ作成端末において、
前記ファイル付加情報生成手段は、
前記ファイル付加情報として、前記電子ファイルに対する前記処理動作の態様に係わる処理態様情報を生成する
ことを特徴とする無線タグ作成端末。
【請求項４】
請求項１記載の無線タグ作成端末において、
前記ファイル付加情報生成手段は、
前記ファイル付加情報として、前記電子ファイルの前記処理動作後の結果物の態様に係わる結果物態様情報を生成する
ことを特徴とする無線タグ作成端末。
【請求項５】
請求項２乃至４のいずれか１項記載の無線タグ作成端末において、
前記電子ファイルの格納先へアクセスするためのファイルアクセス情報を生成するファイルアクセス情報生成手段を有し、
前記作成側情報アクセス手段は、
前記ファイルアクセス情報、前記ファイル付加情報、及び前記タグアクセス情報を前記作成側アンテナを介して前記無線タグ回路素子へ送信し、前記ＩＣ回路部への情報書き込みを行う
ことを特徴とする無線タグ作成端末。
【請求項６】
請求項５記載の無線タグ作成端末において、
前記電子ファイルの格納先を操作指定するための格納操作信号を入力する格納操作信号入力手段を有し、
前記ファイルアクセス情報生成手段は、
前記格納操作信号入力手段で入力された前記格納操作信号で指定された前記電子ファイルの格納先に対応した前記ファイルアクセス情報を生成する
ことを特徴とする無線タグ作成端末。
【請求項７】
請求項６記載の無線タグ作成端末において、
前記格納操作信号入力手段は、
前記電子ファイルの格納先として、当該無線タグ作成端末に接続可能な操作端末を指定した前記格納操作信号を入力し、
前記ファイルアクセス情報生成手段は、
前記格納操作信号に応じ、前記操作端末に関連づけられる前記ファイルアクセス情報を生成する
ことを特徴とする無線タグ作成端末。
【請求項８】
請求項６記載の無線タグ作成端末において、
前記格納操作信号入力手段は、
前記電子ファイルの格納先として、当該無線タグ作成端末に着脱可能な外部記憶媒体を指定した前記格納操作信号を入力し、
前記ファイルアクセス情報生成手段は、
前記格納操作信号に応じ、前記外部記憶媒体に関連づけられる前記ファイルアクセス情報を生成する
ことを特徴とする無線タグ作成端末。
【請求項９】
請求項６記載の無線タグ作成端末において、
前記格納操作信号入力手段は、
前記電子ファイルの格納先として、当該無線タグ作成端末が接続可能なサーバを指定した前記格納操作信号を入力し、
前記ファイルアクセス情報生成手段は、
前記格納操作信号に応じ、前記サーバに関連づけられる前記ファイルアクセス情報を生成する
ことを特徴とする無線タグ作成端末。
【請求項１０】
請求項９記載の無線タグ作成端末において、
前記ファイルアクセス情報生成手段は、
前記ファイルアクセス情報とともに、前記サーバへアクセスするための認証情報を生成し、
前記作成側情報アクセス手段は、
前記ファイルアクセス情報、前記ファイル付加情報、前記タグアクセス情報、及び前記認証情報を前記作成側アンテナを介して前記無線タグ回路素子へ送信し、前記ＩＣ回路部への情報書き込みを行う
ことを特徴とする無線タグ作成端末。
【請求項１１】
請求項２乃至１０のいずれか１項記載の無線タグ作成端末において、
前記電子ファイルの内容に対応した所定の印字情報を、前記無線タグ回路素子を備えるタグ媒体又はこれに貼り合わせる被印字媒体に印刷する印字手段を有することを特徴とする無線タグ作成端末。
【請求項１２】
請求項１１記載の無線タグ作成端末において、
前記印字手段は、
前記所定の印字情報として、前記電子ファイルの識別情報か、若しくは、前記電子ファイルの内容の少なくとも一部を印刷する
ことを特徴とする無線タグ作成端末。
【請求項１３】
請求項１２記載の無線タグ作成端末において、
前記印字手段は、
前記所定の印字情報として、前記電子ファイルの内容のうちの代表部分を印刷することを特徴とする無線タグ作成端末。
【請求項１４】
請求項１１乃至１３のいずれか１項記載の無線タグ作成端末において、
前記印字情報の内容を特定するための印字操作信号を入力する印字操作信号入力手段と、
前記印字手段は、
前記印字操作信号入力手段で入力した前記印字操作信号に応じて、前記所定の印字情報を前記タグ媒体又は前記被印字媒体に印刷する
ことを特徴とする無線タグ作成端末。
【請求項１５】
請求項２乃至１４のいずれか１項記載の無線タグ作成端末において、
前記ファイル付加情報としての前記属性情報、前記処理態様情報、前記結果物態様情報、若しくは、前記ファイルアクセス情報に関する種々の設定を行う設定画面を表示するための表示信号を出力する設定表示信号出力手段を有することを特徴とする無線タグ作成端末。
【請求項１６】
請求項２乃至１５のいずれか１項記載の無線タグ作成端末において、
前記作成側アンテナ、前記ファイル付加情報生成手段、前記タグアクセス情報生成手段、及び前記作成側情報アクセス手段による無線タグの作成の開始を指示するための開始指示信号を入力する指示信号入力手段を有する
ことを特徴とする無線タグ作成端末。
【請求項１７】
請求項１乃至１６のいずれか１項記載の無線タグ作成端末において、
電子ファイル化の対象となる対象物に対し光学的に検出を行う検出手段と、
この検出手段の検出結果に応じて、対応する前記電子ファイルを作成するための電子ファイル作成手段と
を有することを特徴とする無線タグ作成端末。
【請求項１８】
請求項１７記載の無線タグ作成端末において、
前記検出手段が複数の前記対象物に対し前記光学的検出を行う場合、
前記電子ファイル作成手段は、
それら複数の対象物を一括して若しくは前記複数のうち所定個数ごとに、１つの前記電子ファイルとする若しくは互いに関連づけて１つの電子ファイル群を形成させる
ことを特徴とする無線タグ作成端末。
【請求項１９】
情報を記憶可能なＩＣ回路部とこのＩＣ回路部に接続されるタグ側アンテナとを備えた無線タグ回路素子を有し、
前記ＩＣ回路部は、
処理対象となる電子ファイルに関するファイル付加情報を記憶保持していることを特徴とする無線タグ。
【請求項２０】
請求項１９記載の無線タグにおいて、
前記ＩＣ回路部は、
前記電子ファイルの格納先へアクセスするためのファイルアクセス情報を記憶保持していることを特徴とする無線タグ。
【請求項２１】
少なくとも、処理対象となる電子ファイルに関するファイル付加情報を記憶保持しているＩＣ回路部を備えた無線タグ回路素子との間で無線通信により情報の送受信を行う読み取り側アンテナと、
前記ＩＣ回路部へのアクセス情報を生成し、前記読み取り側アンテナを介して前記無線タグ回路素子へ送信し、前記ＩＣ回路部からの情報読み取りを行う読み取り側情報アクセス手段と、
この読み取り側情報アクセス手段による前記アクセス情報に応じて前記無線タグ回路素子よりそれぞれ返信された返信信号より、前記ファイル付加情報を取得する付加情報取得手段と、
この付加情報取得手段で取得した前記ファイル付加情報に基づく信号を、前記電子ファイルに対し当該ファイル付加情報に対応した前記処理動作を実行するための処理機器へ出力する処理信号出力手段と
を有することを特徴とする無線タグ読み取り端末。
【発明の詳細な説明】
【技術分野】
【０００１】
本発明は、非接触で情報の読み取り／書き込みを行える無線タグ、その無線タグを作成するための無線タグ作成端末、及び無線タグの無線タグ情報を読み取るための無線タグ読み取り端末に関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化されつつある。
【０００３】
例えばリーダとして携帯情報端末を用いた従来技術として、特許文献１に記載のものがある。この従来技術では、広告媒体に添付した無線タグに記憶された無線タグ情報が、当該広告のウェブサイトのＵＲＬ情報を含んでおり、無線通信機器としての携帯情報端末で当該無線タグ回路素子より無線タグ情報の読み取りを行うと、自動的に当該携帯情報端末にて上記ＵＲＬへのアクセスを行って当該ウェブサイトの内容を表示させるようになっている。
【特許文献１】実用新案登録３０８５０５０号公報
【発明の開示】
【発明が解決しようとする課題】
【０００４】
上述したように、無線タグを用いた無線通信によるデータ送受は既に知られており、広い分野で実用化されつつある。しかしながら、無線タグにアクセスして所定のデータの取得を行った後、例えばそのデータ（いわゆる電子ファイル等）に読み取り専用等のファイル属性を与えたり、そのデータの一部を非表示にしたり、あるいはデータを特定のフォントや言語で表示したい等、データの処理におけるユーザのニーズがある場合には、通常、当該電子ファイルを無線タグから無線通信機器側にインストール後、その無線通信機器において当該インストールした電子ファイルをいちいち指定して対応する設定（ファイル属性の設定、表示・非表示の設定、フォントや言語の設定等）を行う必要がある。このため、操作者にとって面倒で煩わしい手間が避けられず、利便性の点で難があった。
【０００５】
上記従来技術にあっても、無線タグの添付物（広告）に関するＵＲＬにアクセスし所定のデータを取得した後、携帯端末側に元々備えられている画像表示機能や音声発生機能といった単純な機能を用いて所定の表示や楽曲等を提供するものに過ぎず、上記ファイル属性の設定、表示・非表示設定、フォント設定等のユーザのニーズに対応したきめ細かな設定機能を行えるものではない。
【０００６】
本発明の目的は、操作者の利便性を大きく向上することができる無線タグ並びに無線タグ作成端末及び無線タグ読み取り端末を提供することにある。
【課題を解決するための手段】
【０００７】
上記目的を達成するために、第１の発明は、情報を記憶するＩＣ回路部を備えた無線タグ回路素子との間で無線通信により情報の送受信を行う作成側アンテナと、処理対象となる電子ファイルに関するファイル付加情報を生成するファイル付加情報生成手段と、前記ＩＣ回路部へのタグアクセス情報を生成するタグアクセス情報生成手段と、少なくとも、ファイル付加情報及び前記タグアクセス情報を前記作成側アンテナを介して前記無線タグ回路素子へ送信し、前記ＩＣ回路部への情報書き込みを行う作成側情報アクセス手段とを有することを特徴とする。
【０００８】
本願第１発明の無線タグ作成端末においては、タグアクセス情報生成手段でタグアクセス情報が生成されるとともに、ファイル付加情報生成手段で電子ファイルに関するファイル付加情報が生成され、作成側情報アクセス手段で少なくともこれらタグアクセス情報及びファイル付加情報が作成側アンテナを介し無線タグ回路素子のＩＣ回路部へ書き込まれる。この無線タグ回路素子のＩＣ回路部から情報読み取りが行われると、その読み取り結果に応じて、所定の処理を行う処理機器が、対応する電子ファイルに対し上記所定の処理動作を自動的に実行することが可能である。この場合、当該電子ファイルを処理後の形態で持ち歩く必要がなくなる。
【０００９】
そしてこのとき、本願第１発明においては、ファイル付加情報がＩＣ回路部に書き込まれていることにより、前述の読み取りに基づき上記処理機器が前述の処理動作を行うとき、当該ファイル付加情報に対応した処理を行うことができる。すなわち例えば、ファイル付加情報が電子ファイルの属性情報である場合にはその属性に応じた処理を行ったり、ファイル付加情報が処理態様情報である場合にはそれに応じた態様で処理を行ったり、ファイル付加情報が結果物態様情報である場合には、そのような態様の結果物となるように処理を行うことができる。
以上のようにして、電子ファイルの処理におけるユーザのニーズに対応したきめ細かな設定等を（特別な操作を必要とせず）自動的に行うことができる。この結果、操作者の利便性を大きく向上することができる。
【００１０】
第２の発明は、上記第１発明において、前記ファイル付加情報生成手段は、前記ファイル付加情報として、前記電子ファイルの属性に係わる属性情報を生成することを特徴とする。
【００１１】
これにより、処理機器が処理動作を行うとき、ファイル付加情報に対応し当該電子ファイルの属性に応じた処理を行うことが可能となる。
【００１２】
第３の発明は、上記第１発明において、前記ファイル付加情報生成手段は、前記ファイル付加情報として、前記電子ファイルに対する前記処理動作の態様に係わる処理態様情報を生成することを特徴とする。
【００１３】
これにより、処理機器が処理動作を行うとき、ファイル付加情報に対応し当該処理態様情報に応じた態様で処理を行うことが可能となる。
【００１４】
第４の発明は、上記第１発明において、前記ファイル付加情報生成手段は、前記ファイル付加情報として、前記電子ファイルの前記処理動作後の結果物の態様に係わる結果物態様情報を生成することを特徴とする。
【００１５】
これにより、処理機器が処理動作を行うとき、ファイル付加情報に対応し、当該電子ファイルの処理の結果が当該結果物態様情報に応じた態様となるように処理を行うことが可能となる。
【００１６】
第５の発明は、上記第２乃至第４発明のいずれかにおいて、前記電子ファイルの格納先へアクセスするためのファイルアクセス情報を生成するファイルアクセス情報生成手段を有し、前記作成側情報アクセス手段は、前記ファイルアクセス情報、前記ファイル付加情報、及び前記タグアクセス情報を前記作成側アンテナを介して前記無線タグ回路素子へ送信し、前記ＩＣ回路部への情報書き込みを行うことを特徴とする。
【００１７】
これにより、無線タグ回路素子のＩＣ回路部からの情報読み取り結果に応じてファイルアクセス情報を取得し、これをもとに電子ファイルの格納先へアクセスすることで、処理対象となる電子ファイルを取得することができる。
【００１８】
第６の発明は、上記第５発明において、前記電子ファイルの格納先を操作指定するための格納操作信号を入力する格納操作信号入力手段を有し、前記ファイルアクセス情報生成手段は、前記格納操作信号入力手段で入力された前記格納操作信号で指定された前記電子ファイルの格納先に対応した前記ファイルアクセス情報を生成することを特徴とする。
【００１９】
これにより、ユーザの操作によって所望の格納先に電子ファイルを格納するとともに、その格納先に対応した情報を無線タグ回路素子に書き込むことができる。
【００２０】
第７の発明は、上記第６発明において、前記格納操作信号入力手段は、前記電子ファイルの格納先として、当該無線タグ作成端末に接続可能な操作端末を指定した前記格納操作信号を入力し、前記ファイルアクセス情報生成手段は、前記格納操作信号に応じ、前記操作端末に関連づけられる前記ファイルアクセス情報を生成することを特徴とする。
【００２１】
無線タグ作成端末に接続するパソコン等の操作端末に電子ファイルを格納し、これに対応した情報を無線タグ回路素子に書き込む。これにより、例えば操作端末を携行して、出先で無線タグ情報読み取り端末に接続して無線タグ回路素子から読み取りを行うことで、当該操作端末から電子ファイルを取り出すことができる。
【００２２】
第８の発明は、上記第６発明において、前記格納操作信号入力手段は、前記電子ファイルの格納先として、当該無線タグ作成端末に着脱可能な外部記憶媒体を指定した前記格納操作信号を入力し、前記ファイルアクセス情報生成手段は、前記格納操作信号に応じ、前記外部記憶媒体に関連づけられる前記ファイルアクセス情報を生成することを特徴とする。
【００２３】
無線タグ作成端末に外付けする外部記憶媒体に電子ファイルを格納し、これに対応した情報を無線タグ回路素子に書き込む。これにより、例えば外部記憶媒体を携行して、出先で外部記憶媒体を適宜のパソコン等に取り付け、無線タグ情報読み取り端末を用いて無線タグ回路素子から読み取りを行うことで、当該外部記憶媒体から電子ファイルを取り出すことができる。この場合、操作端末に電子ファイルを格納する場合のように、ユーザが操作端末を持ち歩く必要がなくなる。
【００２４】
第９の発明は、上記第６発明において、前記格納操作信号入力手段は、前記電子ファイルの格納先として、当該無線タグ作成端末に接続可能なサーバを指定した前記格納操作信号を入力し、前記ファイルアクセス情報生成手段は、前記格納操作信号に応じ、前記サーバに関連づけられる前記ファイルアクセス情報を生成することを特徴とする。
【００２５】
無線タグ作成端末に接続されるサーバに電子ファイルを格納し、これに対応した情報を無線タグ回路素子に書き込む。これにより、例えば無線タグ情報読み取り端末を用いて無線タグ回路素子から読み取りを行い、出先でサーバにアクセスすることで、当該サーバから電子ファイルを取り出すことができる。この場合、操作端末や外部記憶媒体に電子ファイルを格納する場合のように、ユーザがそれら操作端末や外部記憶媒体を持ち歩く必要がなくなり、利便性がさらに高まる。
【００２６】
第１０の発明は、上記第９発明において、前記ファイルアクセス情報生成手段は、前記ファイルアクセス情報とともに、前記サーバへアクセスするための認証情報を生成し、前記作成側情報アクセス手段は、前記ファイルアクセス情報、前記ファイル付加情報、前記タグアクセス情報、及び前記認証情報を前記作成側アンテナを介して前記無線タグ回路素子へ送信し、前記ＩＣ回路部への情報書き込みを行うことを特徴とする。
【００２７】
無線タグ回路素子のＩＣ回路部に認証情報を書き込んでおくことにより、電子ファイルを取り出すためにサーバへアクセスするための認証時に、無線タグ回路素子から当該認証情報を読み取って用いるようにすれば、容易にアクセスを行うことができる。
【００２８】
第１１の発明は、上記第２乃至第１０発明のいずれかにおいて、前記電子ファイルの内容に対応した所定の印字情報を、前記無線タグ回路素子を備えるタグ媒体又はこれに貼り合わせる被印字媒体に印刷する印字手段を有することを特徴とする。
【００２９】
無線タグに電子ファイルの内容に対応した印字がなされることで、当該無線タグに対応した電子ファイルが何であるかを、ユーザに対し視覚的に明確化することができる。
【００３０】
第１２の発明は、上記第１１発明において、前記印字手段は、前記所定の印字情報として、前記電子ファイルの識別情報か、若しくは、前記電子ファイルの内容の少なくとも一部を印刷することを特徴とする。
【００３１】
電子ファイルの名称等の識別情報や、ファイル自体の内容が印字されることで、電子ファイルが何であるかをユーザに対し視覚的に明確化することができる。
【００３２】
第１３の発明は、上記第１２発明において、前記印字手段は、前記所定の印字情報として、前記電子ファイルの内容のうちの代表部分を印刷することを特徴とする。
【００３３】
電子ファイルの代表部分（例えばトップページや要約部分等）が印字されることで、電子ファイルが何であるかをユーザに対し視覚的に明確化することができる。
【００３４】
第１４の発明は、上記第１１乃至第１３発明のいずれかにおいて、前記印字情報の内容を特定するための印字操作信号を入力する印字操作信号入力手段と、前記印字手段は、前記印字操作信号入力手段で入力した前記印字操作信号に応じて、前記所定の印字情報を前記タグ媒体又は前記被印字媒体に印刷することを特徴とする。
【００３５】
ユーザの好みや利用態様に応じて、無線タグへどのような内容の印字を行うかを操作入力したりあるいは選択したりすることができ、さらに利便性が向上する。
【００３６】
第１５の発明は、上記第２乃至第１４発明のいずれかにおいて、前記ファイル付加情報としての前記属性情報、前記処理態様情報、前記結果物態様情報、若しくは、前記ファイルアクセス情報に関する種々の設定を行う設定画面を表示するための表示信号を出力する設定表示信号出力手段を有することを特徴とする。
【００３７】
これにより、ユーザが設定画面において、電子ファイルの属性、電子ファイルに対する処理動作の態様、電子ファイルの処理動作後の結果物の態様、電子ファイルの格納先に関し、種々の設定を行うことができる。
【００３８】
第１６の発明は、上記第２乃至第１５発明のいずれかにおいて、前記作成側アンテナ、前記ファイル付加情報生成手段、前記タグアクセス情報生成手段、及び前記作成側情報アクセス手段による無線タグの作成の開始を指示するための開始指示信号を入力する指示信号入力手段を有することを特徴とする。
【００３９】
ユーザの開始指示に対応した開始指示信号を指示信号入力手段で入力することで、これに応じて無線タグの作成を開始することができる。
【００４０】
第１７の発明は、上記第１乃至第１６発明のいずれかにおいて、電子ファイル化の対象となる対象物に対し光学的に検出を行う検出手段と、この検出手段の検出結果に応じて、対応する前記電子ファイルを作成するための電子ファイル作成手段とを有することを特徴とする。
【００４１】
これにより、所定の対象物を電子ファイル化したい場合には、検出手段によって対象物の光学的検出を行うことで、この検出結果に応じ、電子ファイル作成手段によって電子ファイルを作成することができる。
【００４２】
第１８の発明は、上記第１７発明において、前記検出手段が複数の前記対象物に対し前記光学的検出を行う場合、前記電子ファイル作成手段は、それら複数の対象物を一括して若しくは前記複数のうち所定個数ごとに、１つの前記電子ファイルとする若しくは互いに関連づけて１つの電子ファイル群を形成させることを特徴とする。
【００４３】
これにより、一連の関連した複数の対象物（例えば１つの書類の複数ページ等）があった場合に、それら複数の対象物をばらばらに独立した電子ファイルとして形成するのでなく、１つの電子ファイル（又は互いに関連づけた電子ファイル群）とすることで、一括的に取り扱うことが可能となる。
【００４４】
上記目的を達成するために、第１９の発明は、情報を記憶可能なＩＣ回路部とこのＩＣ回路部に接続されるタグ側アンテナとを備えた無線タグ回路素子を有し、前記ＩＣ回路部は、処理対象となる電子ファイルに関するファイル付加情報を記憶保持していることを特徴とする。
【００４５】
本願第１９発明の無線タグにおいては、無線タグ回路素子が処理対象となる電子ファイルのファイル付加情報をＩＣ回路部に記憶保持している。この無線タグ回路素子のＩＣ回路部に対し情報読み取りを行うことで、その読み取り結果に応じて、所定の処理を行う処理機器が、対応する電子ファイルに対し上記所定の処理動作を自動的に実行することが可能である。この場合、当該電子ファイルを処理後の形態（印刷物等）で持ち歩く必要がなくなる。
【００４６】
そしてこのとき、本願第１９発明においては、ファイル付加情報がＩＣ回路部に書き込まれていることにより、前述の読み取りに基づき上記処理機器が前述の処理動作を行うとき、当該ファイル付加情報に対応した処理を行うことができる。すなわち例えば、ファイル付加情報が電子ファイルの属性情報である場合にはその属性に応じた処理を行ったり、ファイル付加情報が処理態様情報である場合にはそれに応じた態様で処理を行ったり、ファイル付加情報が結果物態様情報である場合には、そのような態様の結果物となるように処理を行うことができる。
以上のようにして、電子ファイルの処理におけるユーザのニーズに対応したきめ細かな設定等を（特別な操作を必要とせず）自動的に行うことができる。この結果、操作者の利便性を大きく向上することができる。
【００４７】
第２０の発明は、上記第１９発明において、前記ＩＣ回路部は、前記電子ファイルの格納先へアクセスするためのファイルアクセス情報を記憶保持していることを特徴とする。
【００４８】
これにより、無線タグ回路素子のＩＣ回路部からの情報読み取り時に、その読み取り結果に応じてファイルアクセス情報を取得し、これをもとに電子ファイルの格納先へアクセスすることで、処理対象となる電子ファイルを取得することができる。
【００４９】
上記目的を達成するために、第２１の発明は、少なくとも、処理対象となる電子ファイルに関するファイル付加情報を記憶保持しているＩＣ回路部を備えた無線タグ回路素子との間で無線通信により情報の送受信を行う読み取り側アンテナと、前記ＩＣ回路部へのアクセス情報を生成し、前記読み取り側アンテナを介して前記無線タグ回路素子へ送信し、前記ＩＣ回路部からの情報読み取りを行う読み取り側情報アクセス手段と、この読み取り側情報アクセス手段による前記アクセス情報に応じて前記無線タグ回路素子よりそれぞれ返信された返信信号より、前記ファイル付加情報を取得する付加情報取得手段と、この付加情報取得手段で取得した前記ファイル付加情報に基づく信号を、前記電子ファイルに対し当該ファイル付加情報に対応した前記処理動作を実行するための処理機器へ出力する処理信号出力手段とを有することを特徴とする。
【００５０】
本願第２１発明においては、無線タグ回路素子が少なくともファイル付加情報をＩＣ回路部に記憶保持しており、この無線タグ回路素子に対し、読み取り側情報アクセス手段より読み取り側アンテナを介してアクセス情報を送信してＩＣ回路部から情報読み取りを行う。そして無線タグ回路素子の返信信号から付加情報取得手段によってファイル付加情報が取得される。
【００５１】
このようにして、処理対象となる無線タグ回路素子を備えた無線タグを無線タグ読み取り端末近傍（通信可能範囲）に位置させるだけで、読み取り端末側で自動的にファイル付加情報が取得され、処理信号出力手段からこのファイル付加情報に対応した信号が処理動作を実行するための処理機器へ出力される。
【００５２】
この結果、取得したファイル付加情報に対応する電子ファイルに対し処理機器により所定の処理動作を自動的に実行させるとき、当該ファイル付加情報に対応した処理を行わせることが可能となる。すなわち例えば、ファイル付加情報が電子ファイルの属性情報である場合にはその属性に応じた処理を行ったり、ファイル付加情報が処理態様情報である場合にはそれに応じた態様で処理を行ったり、ファイル付加情報が結果物態様情報である場合には、そのような態様の結果物となるように処理を行うことができる。
【００５３】
以上のようにして、電子ファイルの処理におけるユーザのニーズに対応したきめ細かな設定等を（特別な操作を必要とせず）自動的に行うことができる。この結果、操作者の利便性を大きく向上することができる。
【発明の効果】
【００５４】
本発明によれば、操作者の利便性を大きく向上することができる。
【発明を実施するための最良の形態】
【００５５】
以下、本発明の一実施の形態を図面を参照しつつ説明する。
【００５６】
図１は、本実施形態のタグカード製造装置３００（無線タグ作成端末）を含む無線タグ生成システム全体を表すシステム構成図である。
【００５７】
図１に示す無線タグ生成システム１０は、情報を記憶するＩＣ回路部１５０とこのＩＣ回路部１５０に接続されるアンテナ１５１とを備えた無線タグ回路素子Ｔo（後述の図１０参照）を有するタグカード１（無線タグ）を作成するための上記タグカード製造装置３００と、このタグカード製造装置３００と例えばＵＳＢケーブル等の接続手段２を介して接続され、表示部１０１及び操作部１０２等を有するＰＣ端末（又は汎用コンピュータ。以下、「ＰＣ」と記載）１００とを備えている。
【００５８】
図２は、上記無線タグ生成システム１０を構成するＰＣ１００（操作端末）及びタグカード製造装置３００の詳細機能を表す機能ブロック図である。
【００５９】
この図２において、ＰＣ１００は、各種入力画面（後述の図４〜図７等参照）等の所定の表示を行うための上記表示部１０１と、操作者が操作入力を行うための適宜のボタン、キー、マウス等を備えた上記操作部１０２と、上記タグカード１によって所定の処理を行える（詳細は後述）電子ファイル等が格納され記憶手段（記憶部）として機能するデータベース１０３と、上記タグカード製造装置３００との間で接続手段２を介して行われる通信の制御を行う通信制御部１０４と、これら表示部１０１、操作部１０２、データベース１０３及び通信制御部１０４を含むＰＣ１００全体の動作を制御する制御回路１０５とを有する。
【００６０】
一方、タグカード製造装置３００は、所定間隔で無線タグ回路素子Ｔoが備えられたタグテープ３０３（タグ媒体）を巻回したタグテープロール３０４を着脱可能な（又はタグテープロール３０４を備えたカートリッジを着脱可能な）タグテープロールホルダ部３１０と、このタグテープロール３０４から繰り出されたタグテープ３０３のうち上記無線タグ回路素子Ｔoに対応した領域Ｓ１，Ｓ２（後述の図９参照）に所定の印字を行う印字ヘッド３０５（印字手段）と、無線タグ回路素子Ｔoとの間で無線通信により情報の送受信を行うアンテナ３０６（作成側アンテナ）と、高周波回路３０１（作成側情報アクセス手段）及び制御回路３０２（ファイル付加情報生成手段、タグアクセス情報生成手段、ファイルアクセス情報生成手段）と、上記ＰＣ１００との間で接続手段２を介して行われる通信の制御を行う通信制御部３０８と、タグテープ３０３への印字及び無線タグ回路素子Ｔoへの上記情報書き込みが終了したタグテープ３０３を所定の長さに切断してタグカード１とするカッタ３０７と、印字ヘッド３０５に対向して設けられ、制御回路３０２により制御されてタグテープロール３０４を搬送する搬送装置３０９とを有する。
【００６１】
高周波回路３０１及び制御回路３０２は、無線タグ回路素子ＴoのＩＣ回路部１５０へのアクセス情報を生成し、アンテナ３０６を介して無線タグ回路素子Ｔoへ送信し、無線タグ回路素子ＴoのＩＣ回路部１５０へ情報書き込みを行う。また制御回路３０２は上記接続手段２を介してＰＣ１００と接続されており、このＰＣ１００と情報の送受が可能となっている。
【００６２】
このような構成において、上記タグカード製造装置３００でタグカード１を作成する際には、操作者はＰＣ１００の上記操作部１０２を用いて上記処理対象となる電子ファイルに関するファイル付加情報（この例ではファイルの属性情報等。詳細は後述）及び印字情報等の設定入力を行うと共に、タグカードの作成指示入力を行う。この作成指示信号が接続手段２を介してタグカード製造装置３００に送信されると、タグカード製造装置３００の制御回路３０２の制御により、上記設定入力情報に基づいた印字ヘッド３０５による印字が行われると共に、高周波回路３０１によりアクセス情報が生成され装置側アンテナ３０６を介して無線タグ回路素子Ｔoへ送信される。これにより、無線タグ回路素子ＴoのＩＣ回路部１５０へ上記ファイル付加情報等の書き込みが行われ、タグカード１が作成される。
【００６３】
図３は、上記ファイル付加情報及び印字情報等の設定入力時にタグカード製造装置３００の制御回路３０２によって実行される制御手順を表すフローチャートである。
【００６４】
図３において、まずステップＳ１０では、通信制御部３０８及び接続手段２を介してＰＣ１００の制御回路１０５に制御信号を出力し、当該制御回路１０５（設定表示信号出力手段）から表示部１０１に表示信号を出力させることで、表示部１０１に上記処理対象となる電子ファイルに関する付加情報の設定画面を表示させて、操作者にファイル付加情報の入力を促す（後述の図４参照）。ここでは、電子ファイルは複数のスライドからなるプレゼンテーション用ファイルであり、当該ファイル全体を読み取り専用とするか否か（ファイル属性情報）、及び各スライドごとに表示するか否か（処理態様情報）を設定可能となっている。
【００６５】
次のステップＳ２０では、上記付加情報設定画面に応じて、操作者が操作部１０２を用いて電子ファイルに関する付加情報を入力したかどうかを判定する。ファイル付加情報の入力があり、その情報が通信制御部１０４及び接続手段２を介して受信されている場合には、判定が満たされ次のステップＳ３０に移る。
【００６６】
ステップＳ３０では、通信制御部３０８及び接続手段２を介してＰＣ１００の制御回路１０５に制御信号を出力し、表示部１０１に上記処理対象となる電子ファイルの保存先の設定画面を表示させて、操作者にファイルの保存先の情報であるファイルアクセス情報の入力を促す（後述の図５参照）。ここでは、ＰＣ１００が有するデータベース１０３（図５では「ローカル」として図示）、ＵＳＢメモリ等の外部メモリ（後述の図１５参照）、及び通信回線等を介して接続される外部サーバ（後述の図１８参照）のうちいずれかを選択して保存先を指定可能となっている。
【００６７】
次のステップＳ４０では、上記ファイル保存先設定画面に応じて、操作者が操作部１０２を用いて電子ファイルの保存先を入力したかどうかを判定する。ファイルアクセス情報の入力があり、その情報が通信制御部１０４及び接続手段２を介して入力されている場合には、判定が満たされ次のステップＳ５０に移る。
【００６８】
ステップＳ５０では、通信制御部３０８及び接続手段２を介してＰＣ１００の制御回路１０５に制御信号を出力し、表示部１０１に上記タグカード１の印字領域に印字される印字情報の設定画面を表示させて、操作者に印字情報の入力を促す（後述の図６参照）。ここでは、サムネイル画像（スライドの縮小画像）を印字させるスライドを選択可能であり、且つ任意のテキスト情報を入力可能となっている。なお、この設定画面において、上記サムネイル画像を印字させるスライドを選択しなかった場合には、初期設定であるトップページ（又は要約ページ等でもよい）のスライドのサムネイル画像が印刷される。また、上記テキスト入力を行わなかった場合には、初期設定である電子ファイルの識別情報（例えばファイルネーム）が印字されるようになっている。
【００６９】
次のステップＳ６０では、上記印字情報の設定画面に応じて、操作者が操作部１０２を用いて印字情報を入力したかどうかを判定する。印字情報の入力があり、その情報が通信制御部１０４及び接続手段２を介して入力されている場合には、判定が満たされ次のステップＳ７０に移る。
【００７０】
ステップＳ７０では、通信制御部３０８及び接続手段２を介してＰＣ１００の制御回路１０５に制御信号を出力し、表示部１０１にタグカード１を作成するか否かの最終的な確認画面を表示させて、操作者にタグカード作成指示の入力を促す（後述の図７参照）。
【００７１】
次のステップＳ８０では、上記確認画面に応じて、操作者が操作部１０２を用いてタグカードの作成指示入力を行ったかどうかを判定する。作成指示の入力があり、その作成指示信号が通信制御部１０４及び接続手段２を介して入力されている場合には、判定が満たされ次のステップＳ１００に移る。
【００７２】
ステップＳ１００では、上記ステップＳ５０で設定入力された印字情報に基づいて印字ヘッド３０５による印字を行うと共に、上記ステップＳ１０で設定されたファイル付加情報、ステップＳ３０で設定されたファイルアクセス情報、及び書き込み情報（タグＩＤ）を無線タグ回路素子ＴoのＩＣ回路部１５０へ書き込んでタグカード１を作成するタグカード作成処理を行う。そして、このフローを終了する。
【００７３】
なお、上記フローでは特に説明しなかったが、無線タグ回路素子Ｔoの識別情報であるタグＩＤが書き込み情報として自動的に割りふられ、当該タグＩＤと上記各種設定情報（ファイル付加情報、ファイルアクセス情報及び印字情報）とが関連付けられてＰＣ１００のデータベース１０３に保存されるようになっている。また、上記フローでは特に示さなかったが、各入力画面においてキャンセルボタン（後述の図４〜図７参照）が操作された場合には、上記フローは終了するようになっている。
【００７４】
図４は上記ステップＳ１０においてＰＣ１００の表示部１０１に表示される付加情報設定画面の一例を表す図である。この図４において、前述したように電子ファイルは複数のスライドからなるプレゼンテーション用ファイルであり、当該ファイル全体を読み取り専用とするか否かを画面中のラジオボタン５０で設定し、且つ各スライドごとに表示するか否かを画面中のウィンドウ５１内の各チェックボックス５２にて設定可能となっている。
【００７５】
図５は上記ステップＳ３０においてＰＣ１００の表示部１０１に表示されるファイル保存先設定画面の一例を表す図である。この図５において、電子ファイルをＰＣ１００が有するデータベース１０３に保存する場合には、ラジオボタン５３で「ローカル」を選択し、入力ウィンドウ５４に保存先のパスを入力する。この「ローカル」は、例えば外出先にＰＣ１００を携行して電子ファイルをプレゼンする場合等に選択される。一方、電子ファイルをＵＳＢメモリ等の外部メモリ（後述の図１５参照）に保存する場合には、ラジオボタン５３で「外部メモリ」を選択し、入力ウィンドウ５５に保存先のパスを入力する。また、電子ファイルを通信回線等を介して接続される外部サーバ（後述の図１８参照）に保存する場合には、ラジオボタン５３で「サーバー」を選択し、入力ウィンドウ５６に保存先のパスを入力するようになっている。
【００７６】
図６は上記ステップＳ５０においてＰＣ１００の表示部１０１に表示される印字情報設定画面の一例を表す図である。この図６において、電子ファイルは複数のスライドからなるプレゼンテーション用ファイルであり、どのスライドのサムネイル画像を印字するかをウィンドウ５７内の入力部としてのラジオボタン５８で選択する（図ではスライドＢが選択されている）。また、ウィンドウ５９内のテキスト入力エリア６０で操作者は任意のテキスト情報を入力可能となっている。なお、前述したように上記ウィンドウ５７でスライドの選択を行わなかった場合には、初期設定であるトップページ（又は要約ページ等でもよい）のスライドが選択される。また、上記テキスト入力エリア６０にテキスト入力を行わなかった場合には、初期設定である電子ファイルの識別情報（例えばファイルネーム）が印字されるようになっている（後述の図９参照）。
【００７７】
図７は上記ステップＳ７０においてＰＣ１００の表示部１０１に表示されるタグ作成の確認画面の一例を表す図である。この図７において、操作者がＯＫボタン６１を操作すると、上記ステップＳ８０の判定が満たされてステップＳ９０に移り、タグカードの作成指示信号がＰＣ１００から接続手段２を介してタグカード製造装置３００の制御回路３０２に送信されるようになっている。
【００７８】
図８は上記ステップＳ１００の詳細手順を表すフローチャートである。
【００７９】
図８において、まずステップＳ１１０において、通信制御部３０８及び接続手段２を介してＰＣ１００の制御回路１０５に制御信号を出力し、データベース１０３にアクセスして、上記各種設定情報、すなわちファイル付加情報、ファイルアクセス情報、印字ヘッド３０５で上記タグカード１の印字領域に印字したい印字情報及び無線タグ回路素子Ｔoへの書き込み情報（タグＩＤ）を取得する。
【００８０】
その後、ステップＳ１２０に移り、高周波回路３０１によりアクセス情報を生成して装置側アンテナ３０６を介して無線タグ回路素子Ｔoへ送信し、ＩＣ回路部１５０へ上記ステップＳ１１０で取得した書き込み情報、ファイルアクセス情報及びファイル付加情報の書き込みを行う。また、上記ステップＳ１１０で取得した印字情報に基づいた印字ヘッド３０５による印字を行う。
【００８１】
次のステップＳ１３０で、テープ切断を行って１つの無線タグ回路素子Ｔoを備えたタグカード１を作成し、このルーチンを終了する。
【００８２】
図９は、上記制御によりタグカード製造装置３００で作成されたタグカード１の全体概略構造の一例を表す上面図である。
【００８３】
この図９において、タグカード１はカード状に形成されており、略四角薄板形状の基材２と、この基材２に配置された、情報を記憶するＩＣ回路部１５０とこのＩＣ回路部１５０に接続されるアンテナ１５１とを備えた無線タグ回路素子Ｔoとから構成されている。
【００８４】
基材２の表側（上面）には、このタグカード１によって所定の処理を行える電子ファイルの内容のうちの代表部分（この例では「ＡＢＣソリューションのご提案」と記載されたトップページのスライドのサムネイル画像。なお、このサムネイル画像を含む図や文章でもよい）を印字した領域Ｓ１及び電子ファイルの識別情報（この例では「ＡＢＣソリューションプレゼン」というファイルネーム）を印字した領域Ｓ２を備えている。なお、これら領域Ｓ１，Ｓ２は必ずしも両方印字される必要はなく、どちらか一方のみでもよい。また、文字でなく図形や符号、あるいは単なる色塗りや模様等であってもよく、何らかの形で電子ファイル内容を認識・識別できるものであればよい。またタグカード１の大きさは、例えば名刺大等各種サイズのものとして構成できる。通常のＡ４版又はＢ５版等の紙（印刷してもしなくてもよい）に、無線タグ回路素子Ｔoを取り付けた（例えばラベル状のものを貼付した）ものとしてもよい。
【００８５】
無線タグ回路素子Ｔoは、この例では、基材２の面方向中心部（この例では図１の上下方向中心部）より一方側（この例では図１中下方側）に偏って配置されている。言い換えれば、領域Ｓと無線タグ回路素子Ｔoとが平面視においてなるべく重ならないように、配置されている。
【００８６】
図１０は、上記タグカード１に備えられた上記無線タグ回路素子Ｔoの機能的構成の一例を表すブロック図である。
【００８７】
図１０において、無線タグ回路素子Ｔoは、上記タグカード製造装置３００のアンテナ３０６や後述する無線タグ回路素子Ｔoの読み取り機能を備えたリーダ２００のアンテナ２１０と短波帯(例えば13.56MHz)、ＵＨＦ帯、又はマイクロ波帯等の高周波を用いて非接触で信号の送受信を行うアンテナ１５１(タグ側アンテナ)と、このアンテナ１５１に接続されたＩＣ回路部１５０とを有している。
【００８８】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００８９】
変復調部１５６は、アンテナ１５１により受信された上記タグカード製造装置３００のアンテナ３０６やリーダ２００のアンテナ２１０からの通信信号の復調を行うと共に、上記制御部１５７からの返信信号に基づき、上記アンテナ３０６，２１０より受信された搬送波を変調反射する。
【００９０】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００９１】
図１１は、上記のようにしてタグカード製造装置３００で作成されたタグカード１が有する無線タグ回路素子ＴoのＩＣ回路部１５０の上記メモリ部１５５のデータ構成の一例を表す図である。
【００９２】
この図１１に示す例では、無線タグ回路素子ＴoのＩＣ回路部１５０の上記メモリ部１５５に記憶されるデータは、前述した書き込み情報であるタグＩＤと、処理対象となる電子ファイルの保存先の情報であるファイルアクセス情報と、電子ファイル全体を読み取り専用とするか否かのファイル属性情報及び各スライドごとに表示するか否かの処理態様情報からなるファイル付加情報とから構成されている。
【００９３】
図１２は、本実施形態のリーダ２００（無線タグ読み取り端末）を含む無線タグ読み取りシステム全体を表すシステム構成図である。
【００９４】
図１２に示す無線タグ読み取りシステム１１は、上記タグカード製造装置３００で作成したタグカード１から無線通信により情報の読み取りを行うためのアンテナ２１０（読み取り側アンテナ）を有する上記リーダ２００と、このリーダ２００と例えばＵＳＢケーブル等の接続手段３を介して接続され、表示部１０１及び操作部１０２等を有する上記ＰＣ１００とを備えている。なお、この無線タグ読み取りシステム１１は、例えば外出先にＰＣ１００及びリーダ２００を携行して電子ファイルをプレゼンする場合等に用いられるものである（なお、リーダについては携行せずに例えば外出先で汎用性のリーダを借用等してもよい）。この場合、タグカード１の作成時に、前述したステップＳ３０においてラジオボタン５３で「ローカル」を選択し、プレゼン用の電子ファイルをＰＣ１００のデータベース１０３に保存するように設定する。
【００９５】
図１３は、上記無線タグ読み取りシステム１１を構成するＰＣ１００及びリーダ２００の詳細機能を表す機能ブロック図である。この図１３において、リーダ２００は、上記タグカード１に備えられる無線タグ回路素子Ｔoのアンテナ１５１との間で無線通信により信号の授受を行う上記アンテナ２１０と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１（読み取り側情報アクセス手段）と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、リーダ２００全体の動作を制御する制御回路２０２（付加情報取得手段）と、操作者が操作可能な適宜のボタン、キー等を備えた操作部２０３と、上記ＰＣ１００との間で接続手段３を介して行われる通信の制御を行う通信制御部２０４（処理信号出力手段）とを有する。
【００９６】
このような構成において、上記リーダ２００でタグカード１の無線タグ情報を読み取る際には、タグカード１をリーダ２００側に近接させる（通信可能範囲に存在させる）。このとき、前述したように、タグカード１の無線タグ回路素子ＴoのＩＣ回路部１５０には、処理対象となる電子ファイルに関するファイルアクセス情報及びファイル付加情報が記憶保持されており、これらの情報がリーダ２００側に取得されることで、上記ファイルアクセス情報に基づいて電子ファイルがＰＣ１００のデータベース１０３より読み込まれ、当該電子ファイルが上記取得されたファイル付加情報に基づいて開かれ表示部１０１に表示される。
【００９７】
図１４は、上記タグカード１の無線タグ情報の読み取り時にリーダ２００の制御回路２０２によって実行される制御手順を表すフローチャートである。
【００９８】
この図１４において、まずステップＳ２１０において、高周波回路２０１及びアンテナ２１０を介し、タグカード１の無線タグ回路素子ＴoのＩＣ回路部１５０に記憶された情報を読み取るための信号を送信する。詳細には、例えば、無線タグ回路素子Ｔoに記憶された情報を読み出すための「Scroll ALL ID」信号（又は「Ping」信号）を生成して高周波回路２０１を介して通信範囲内に存在する無線タグ回路素子Ｔoに送信され、返信を促す。
【００９９】
その後、ステップＳ２２０に移り、上記「Scroll ALL ID」信号に対応し無線タグ回路素子Ｔoから送信（返信）されたリプライ信号がアンテナ２１０を介し受信され、高周波回路２０１を介し制御回路２０２へ取り込まれたかどうかを判定する。
【０１００】
リプライ信号が受信されていなければ判定が満たされず、ステップＳ２１０に戻って同様の手順を繰り返す。リプライ信号が受信されたらステップＳ２２０の判定が満たされ、ステップＳ２３０へ移る。
【０１０１】
ステップＳ２３０では、上記無線タグ回路素子Ｔoから受信されたリプライ信号の中から、電子ファイルの保存先の情報であるファイルアクセス情報及びファイル付加情報（この例ではファイル全体を読み取り専用とするか否かのファイル属性情報及び各スライドごとに表示するか否かの処理態様情報）を読み出して取得する。なお、これらの読み出した情報は適宜の記憶手段（例えば制御回路２０２が有するメモリ等）に一時的に記憶される。
【０１０２】
次に、ステップＳ２４０において、通信制御部２０４及び接続手段３を介してＰＣ１００の制御回路１０５に制御信号を出力し、上記ステップＳ２３０で取得したファイルアクセス情報を元にデータベース１０３へ電子ファイルデータの問い合わせを行う。
【０１０３】
次のステップＳ２５０において、上記ステップＳ２４０の問い合わせに対応した電子ファイルのデータをデータベース１０３から読み出すと共に、その電子ファイルに対応した所定のアプリケーション（例えば日本語ソフト、描画ソフト等）を取得する。なお、これら読み出した電子ファイルデータ及びアプリケーションデータは適宜の記憶手段（例えば制御回路１０５が有するＲＡＭ等）に一時的に記憶される。また、上記アプリケーションについては、電子ファイルの種類に応じて適宜のアプリケーションを選択するようになっている。
【０１０４】
そして、ステップＳ２６０において、通信制御部２０４及び接続手段３を介してＰＣ１００の制御回路１０５に制御信号を出力し、上記ステップＳ２５０で取得したアプリケーションを起動させる。
【０１０５】
その後、ステップＳ２７０において、通信制御部２０４及び接続手段３を介してＰＣ１００の制御回路１０５に制御信号を出力し、ステップＳ２３０で取得したファイル付加情報に基づいたファイル処理を行いつつ、上記起動したアプリケーション上で電子ファイルを開く。すなわちこの例では、前述の図４に示す設定に基づき、電子ファイルを読み取り専用で開くと共に、非表示設定がされたスライド以外のスライドについてのみ表示部１０１に表示させる。そして本フローを終了する。
【０１０６】
以上において、制御回路３０２により実行されるステップＳ３０及びＳ４０が、請求項６記載の電子ファイルの格納先を操作指定するための格納操作信号を入力する格納操作信号入力手段を構成し、ステップＳ５０及びＳ６０が、請求項１４記載の印字操作信号を入力する印字操作信号入力手段を構成し、またステップＳ７０及びＳ８０が、請求項１６記載の無線タグの作成の開始を指示するための開始指示信号を入力する指示信号入力手段を構成する。
【０１０７】
以上のように構成した本実施形態のタグカード製造装置３００においては、制御回路３０２でタグカード１への無線通信情報が生成されるとともに、電子ファイルに関するファイル付加情報が生成され、高周波回路３０１で少なくともこれら無線通信情報及びファイル付加情報がアンテナ３０６を介し無線タグ回路素子ＴoのＩＣ回路部１５０へ書き込まれて、タグカード１が作成される。そして、この作成されたタグカード１の無線タグ回路素子ＴoのＩＣ回路部１５０からリーダ２００により情報読み取りが行われると、制御回路３０２によりその読み取り結果に応じてファイルが開かれＰＣ１００の表示部１０１に表示される。
【０１０８】
このとき、本実施形態においては、ファイル付加情報が無線タグ回路素子ＴoのＩＣ回路部１５０に書き込まれていることにより、リーダ２００の読み取りに基づきＰＣ１００の表示部１０１でファイル表示動作を行う際に、当該ファイル付加情報に対応した処理を行うことができる。すなわち本実施形態では、電子ファイルをその属性情報に応じて読み取り専用ファイルとして開くと共に、複数のスライドからなる電子ファイルをその処理態様情報に応じて非表示設定がなされたスライド以外のスライドについてのみ表示を行うことができる。
【０１０９】
これにより、例えば顧客Ａ，Ｂに対してプレゼンを行うような場合に、各顧客に対するスライド表示設定をファイル付加情報として記憶させたタグカード１をそれぞれ作成しておけば、ＰＣ１００のデータベース１０３には単一のプレゼン用電子ファイルを保存しておくだけで、各顧客に対するプレゼン時には対応するタグカード１をリーダ２００で読み取ることにより、各顧客に対応する表示設定でプレゼン用電子ファイルをＰＣ１００の表示部１０１に表示させることができる。以上のようにして、電子ファイルの処理におけるユーザのニーズに対応したきめ細かな設定等を特別な操作を必要とせず自動的に行うことができる。この結果、操作者の利便性を大きく向上することができる。
【０１１０】
また、本実施形態では特に、ファイル付加情報に、電子ファイルを読み取り専用とするか否かの属性情報を含める。これにより、ＰＣ１００のデータベース１０３から電子ファイルの読み込み処理を行うとき、上記ファイル属性情報に対応し当該電子ファイルを読み取り専用で開くことができる。その結果、当該電子ファイルへの書き込みや修正、上書き保存等を防止することができる。
【０１１１】
また、本実施形態では特に、ファイル付加情報に、複数のスライドからなる電子ファイルの各スライドの表示／非表示設定情報を含める。これにより、ＰＣ１００の表示部１０１で電子ファイルを表示させるとき、上記設定に応じた表示態様で表示を行うことができる。その結果、上述したように、例えば顧客Ａ，Ｂに対してプレゼンを行うような場合に単一のプレゼン用電子ファイルを用いて容易に各顧客に応じたスライド表示を行うことができる。
【０１１２】
また、本実施形態では特に、電子ファイルの格納先へアクセスするためのファイルアクセス情報を無線タグ回路素子ＴoのＩＣ回路部１５０へ書き込む。これにより、リーダ２００による読み取り時に無線タグ回路素子ＴoのＩＣ回路部１５０から当該ファイルアクセス情報を取得し、これをもとに電子ファイルの格納先であるデータベース１０３へアクセスすることで、処理対象となる電子ファイルを確実に取得することができる。
【０１１３】
また、本実施形態では特に、タグカード製造装置３００の制御回路３０２によって実行されるファイルアクセス情報設定手順（ステップＳ３０及びステップＳ４０）により、操作者がＰＣ１００の操作部１０２を用いて電子ファイルの格納先を操作指定可能である。これにより、ユーザの操作によって所望の格納先に電子ファイルを格納するとともに、その格納先に対応した情報を無線タグ回路素子Ｔoに書き込むことができる。
【０１１４】
また、本実施形態では特に、電子ファイルの格納先を、タグカード製造装置３００に接続されたＰＣ１００が有するデータベース１０３とする。これにより、例えばＰＣ１００を携行して、出先でリーダ２００に接続してタグカード１の無線タグ回路素子Ｔoから読み取りを行うことで、当該ＰＣ１００をネットワーク等に接続しなくとも当該ＰＣ１００のデータベース１０３から電子ファイルを取り出すことができる。
【０１１５】
また、本実施形態では特に、印字ヘッド３０５により、電子ファイルの内容に対応した所定の印字情報を無線タグ回路素子Ｔoを備えるタグテープ３０３に印刷し、タグカード１を作成する。このように、タグカード１に電子ファイルの内容に対応した印字がなされることで、当該タグカード１に対応した電子ファイルが何であるかを、ユーザに対し視覚的に明確化することができる。
【０１１６】
また、本実施形態では特に、印字ヘッド３０５により、所定の印字情報として、電子ファイルを構成する複数のスライドのうちの選択されたスライド（選択されない場合はトップページのスライド）のサムネイル画像及び電子ファイルを識別可能なテキスト入力情報（入力がない場合はファイルネーム）を印字領域Ｓ１，Ｓ２にそれぞれ印刷する。このようにすることで、電子ファイルが何であるかをユーザに対しさらに視覚的に明確化することができる。
【０１１７】
また、本実施形態では特に、タグカード製造装置３００の制御回路３０２によって実行される印字情報設定手順（ステップＳ５０及びステップＳ６０）により、操作者がＰＣ１００の操作部１０２を用いてタグカード１に印字する印字情報の内容を操作指定可能である。これにより、ユーザの好みや利用態様に応じて、タグカード１へどのような内容の印字を行うかを操作入力したりあるいは選択したりすることができ、さらに利便性が向上する。
【０１１８】
また、本実施形態では特に、ＰＣ１００の表示部１０１を用いて、ファイル付加情報としてのファイル属性情報、処理態様情報、電子ファイルの格納先に関するファイルアクセス情報、印字情報等に関する種々の設定を行う設定画面を表示する。これにより、ユーザが設定画面において、上記各種情報に関し、種々の設定を容易に効率よく行うことができる。
【０１１９】
また、本実施形態では特に、タグカード製造装置３００の制御回路３０２によって実行されるタグカード作成指示入力手順（ステップＳ７０及びステップＳ８０）により、操作者がタグカード１の作成の開始を指示することにより、タグカード１の作成処理が開始される。これにより、ユーザの最終的なタグ作成意志を確認した上でタグカードの作成を開始することができる。
【０１２０】
次に、本発明の他の実施の形態を図面を参照しつつ説明する。なお、上記一実施形態がＰＣ１００のデータベース１０３に処理対象の電子ファイルを格納し、当該ＰＣ１００を携行してデータベース１０３より電子ファイルを読み出す場合の実施形態であったのに対し、本実施形態はＰＣ１００に着脱可能な外部メモリに電子ファイルを格納し、外部メモリを携行して当該メモリより電子ファイルを読み出す場合の実施形態である。
【０１２１】
図１５は、本実施形態のタグカード製造装置３００を含む無線タグ生成システム１０Ａの全体を表すシステム構成図であり、前述の図１に対応する図である。図１と同様の部分には、同符号を付し説明を省略する。
【０１２２】
この図１５に示すように、本実施形態においては、ＰＣ１００の図示しない外部スロットに着脱可能なＵＳＢメモリ等の外部メモリ４（外部記憶媒体）が装着されている。
【０１２３】
図１６は、タグカード製造装置３００でタグカード１を作成する際におけるファイルアクセス情報の設定入力時に、ＰＣ１００の表示部１０１に表示されるファイル保存先設定画面の一例を表す図である。この図１６に示すように、本実施形態では、ラジオボタン５３で「外部メモリ」を選択し、入力ウィンドウ５５に外部メモリ４に対応する保存先のパスを入力する。これにより、処理対象である電子ファイルがＰＣ１００Ａのデータベース１０３の代わりに上記外部メモリ４に格納される。
【０１２４】
図１７は、本実施形態のリーダ２００を含む無線タグ読み取りシステム１１Ａの全体を表すシステム構成図であり、前述の図１２に対応する図である。図１２と同様の部分には、同符号を付し説明を省略する。
【０１２５】
本実施形態では、ユーザはタグカード製造装置３００で作成したタグカード１と外部メモリ４、及びリーダ２００を外出先に携行する（なお、リーダについては携行せずに例えば外出先で汎用性のリーダを借用等してもよい）。そして、外出先（例えばプレゼンを行う顧客の会社）で外部スロットを有するＰＣ１００Ａを借用し、当該ＰＣ１００Ａに携行した外部メモリ４を装着すると共に、リーダ２００を接続手段３を用いて接続する。これにより、図１７に示す無線タグ読み取りシステム１１Ａが構成される。
【０１２６】
その後の操作は前述の一実施形態と同様であり、携行したタグカード１をリーダ２００側に近接させる（通信可能範囲に存在させる）と、タグカード１の無線タグ回路素子ＴoのＩＣ回路部１５０に記憶保持された処理対象となる電子ファイルに関するファイルアクセス情報及びファイル付加情報がリーダ２００側に取得され、上記ファイルアクセス情報に基づいて電子ファイルがＰＣ１００Ａに装着された外部メモリ４より読み込まれ、当該電子ファイルが上記取得されたファイル付加情報に基づいて開かれ表示部１０１に表示される。
【０１２７】
上記構成である本実施形態においては、ＰＣ１００に外付けする外部メモリ４に電子ファイルを格納し、これに対応した情報を無線タグ回路素子Ｔoに書き込む。これにより、上述したように、例えば外部メモリ４を携行して、出先で外部メモリ４を適宜のＰＣ１００Ａに取り付け、リーダ２００を用いて無線タグ回路素子Ｔoから読み取りを行うことで、当該外部メモリ４から電子ファイルを取り出すことができる。この場合、前述の一実施形態のようにＰＣに電子ファイルを格納する場合に比べ、ユーザが操作端末を持ち歩く必要がなくなり、利便性をさらに向上することができる。
【０１２８】
次に、本発明のさらに他の実施の形態を図面を参照しつつ説明する。なお、上記他の実施形態がＰＣ１００に着脱可能な外部メモリに電子ファイルを格納し、外部メモリを携行して当該メモリより電子ファイルを読み出す場合の実施形態であったのに対し、本実施形態は、例えばインターネット等の通信回線を介してＰＣ１００に接続されたサーバに電子ファイルを格納する場合の実施形態である。
【０１２９】
図１８は、本実施形態のタグカード製造装置３００を含む無線タグ生成システム１０Ｂの全体を表すシステム構成図であり、前述の図１等に対応する図である。図１等と同様の部分には、同符号を付し説明を省略する。
【０１３０】
この図１８に示すように、本実施形態においては、ＰＣ１００は、例えばインターネット等の有線あるいは無線による通信回線５を介し、複数の各種電子ファイルを読み出し可能に格納保持する情報サーバ（コンテンツサーバ）７に接続されている。また、ＰＣ１００は、上記一実施形態及び他の実施形態と同様に、接続手段２を介してタグカード１を作成するタグカード製造装置３００と接続されている。なお、ルートサーバ（アドレスサーバ）６を設けても良い。またこの例ではＰＣ１００とタグカード製造装置３００とを接続手段２で接続するようにしたが、上記通信回線５を介して接続するようにしてもよい。
【０１３１】
図１９は、タグカード製造装置３００でタグカード１を作成する際におけるファイルアクセス情報の設定入力時に、ＰＣ１００の表示部１０１に表示されるファイル保存先設定画面の一例を表す図である。この図１９に示すように、本実施形態では、ラジオボタン５３で「サーバー」を選択し、入力ウィンドウ５６に情報サーバ７（又はルートサーバ６）に対応する保存先のパスを入力する。これにより、処理対象である電子ファイルが通信回線５を介して情報サーバ７に格納される。
【０１３２】
図２０は、上記ファイル付加情報及び印字情報等の設定入力時にタグカード製造装置３００の制御回路３０２′（図示せず）によって実行される制御手順を表すフローチャートであり、前述の図３に対応する図である。図３と同様の手順には同符号を付し説明を省略する。
【０１３３】
図２０において前述の図３と異なる点は、ステップＳ６３及びステップＳ６７が追加された点である。すなわち、ステップＳ６３では、通信制御部３０８及び接続手段２を介してＰＣ１００の制御回路１０５に制御信号を出力し、表示部１０１に上記処理対象となる電子ファイルを保存する情報サーバ７にアクセスするための認証情報（パスワード）の設定画面を表示させて、操作者に当該認証情報の入力を促す。
【０１３４】
次のステップＳ６７では、上記認証情報設定画面に応じて、操作者が操作部１０２を用いて認証情報を入力したかどうかを判定する。認証情報の入力があり、その情報が通信制御部１０４及び接続手段２を介して受信されている場合には、判定が満たされ次のステップＳ７０に移る。
【０１３５】
図２１は、上記のようにしてタグカード製造装置３００で作成されたタグカード１が有する無線タグ回路素子ＴoのＩＣ回路部１５０の上記メモリ部１５５のデータ構成の一例を表す図である。
【０１３６】
この図２１に示す例では、無線タグ回路素子ＴoのＩＣ回路部１５０の上記メモリ部１５５に記憶されるデータは、書き込み情報であるタグＩＤと、処理対象となる電子ファイルの保存先の情報であるファイルアクセス情報と、電子ファイルを保存する情報サーバ７（又はルートサーバ６）にアクセスするための上記認証情報と、ファイル付加情報とから構成されている。
【０１３７】
図２２は、本実施形態のリーダ２００を含む無線タグ読み取りシステム１１Ｂの全体を表すシステム構成図であり、前述の図１２等に対応する図である。図１２等と同様の部分には、同符号を付し説明を省略する。
【０１３８】
本実施形態では、ユーザはタグカード製造装置３００で作成したタグカード１及びリーダ２００を外出先に携行する（なお、リーダについては携行せずに例えば外出先で汎用性のリーダを借用等してもよい）。そして、外出先（例えばプレゼンを行う顧客の会社）で例えばインターネットである通信回線５に接続可能なＰＣ１００Ａを借用し、当該ＰＣ１００Ａに携行したリーダ２００を接続手段３を用いて接続する。これにより、ＰＣ１００Ａは通信回線５を介して上記情報サーバ７（又はルートサーバ６）に接続され、図２２に示す無線タグ読み取りシステム１１Ｂが構成される。
【０１３９】
その後の操作は前述の一実施形態等と同様であり、携行したタグカード１をリーダ２００側に近接させる（通信可能範囲に存在させる）と、タグカード１の無線タグ回路素子ＴoのＩＣ回路部１５０に記憶保持された処理対象となる電子ファイルに関するファイルアクセス情報、認証情報及びファイル付加情報がリーダ２００側に取得され、上記ファイルアクセス情報に基づいて電子ファイルが情報サーバ７から通信回線５を介して読み込まれ、当該電子ファイルが上記取得されたファイル付加情報に基づいて開かれ表示部１０１に表示される。なお、上記情報サーバ７にアクセスする際には、タグカード１の無線タグ回路素子Ｔoから取得した認証情報を情報サーバ７に送信することで、アクセスが許可されるようになっている。
【０１４０】
上記構成である本実施形態においては、タグカード製造装置３００にＰＣ１００Ａ及び通信回線５を介して接続される情報サーバ７に電子ファイルを格納し、これに対応した情報を無線タグ回路素子Ｔoに書き込む。これにより、例えばリーダ２００を用いて無線タグ回路素子Ｔoから読み取りを行い、出先で情報サーバ７にアクセスすることで、当該情報サーバ７から電子ファイルを取り出すことができる。この場合、上記一実施形態や他の実施形態のようにＰＣ１００や外部メモリ４に電子ファイルを格納する場合に比べ、ユーザがそれらＰＣ１００や外部メモリ４を持ち歩く必要がなくなり、利便性をさらに高めることができる。
【０１４１】
また、本実施形態では特に、無線タグ回路素子ＴoのＩＣ回路部１５０に認証情報を書き込んでおくことにより、電子ファイルを取り出すために情報サーバ７へアクセスする際に認証が必要な構成としても、無線タグ回路素子Ｔoから当該認証情報を読み取って用いるようにすれば、容易にアクセスを行うことができる。したがって、電子ファイルを格納する情報サーバ７のセキュリティ性を確保しつつ、利便性を向上することができる。
【０１４２】
なお、上記は例えばインターネット等の広範な通信回線を介して接続する場合の例であるため、情報サーバ７のセキュリティの確保のために認証情報を用いるようにしたが、これに限られず、例えば会社内の会議でプレゼンを行うために、社内ＬＡＮ等の狭小な範囲の通信回線を介して接続する場合等においては、認証情報を用いなくてもよい。
【０１４３】
なお、本発明は、上記の各実施形態に限られず、その趣旨と技術思想の範囲を逸脱しない範囲で更に種々の変形が可能である。以下その変形例を説明する。
【０１４４】
（１）スキャナを用いて電子ファイルを作成する場合
図２３は、本変形例におけるタグカード製造装置３００を含む無線タグ生成システム１０Ｃの全体を表すシステム構成図であり、前述の図１に対応する図である。図１と同様の部分には、同符号を付し説明を省略する。
【０１４５】
図２３に示す無線タグ生成システム１０Ｃは、無線タグ回路素子Ｔoを有するタグカード１を作成するための上記タグカード製造装置３００と、このタグカード製造装置３００と例えばＵＳＢケーブル等の接続手段２を介して接続され、表示部１０１及び操作部１０２等を有するＰＣ１００と、このＰＣ１００と接続手段９を介して接続され、電子ファイル化の対象となる対象物（印刷物等）に対し光学的に検出を行うスキャナ８（検出手段）とを備えている。
【０１４６】
上記構成の無線タグ生成システム１０Ｃにおいては、所定の対象物を電子ファイル化したい場合には、スキャナ８によって対象物の光学的検出を行うことで、この検出結果に応じて電子ファイルを作成し、ＰＣ１００のデータベース１０３に保存できるようになっている。
【０１４７】
図２４は、上記無線タグ生成システム１０Ｃを構成するＰＣ１００及びタグカード製造装置３００の詳細機能を表す機能ブロック図であり、前述の図２に対応する図である。図２と同様の部分には同符号を付し説明を省略する。
【０１４８】
この図２４において、ＰＣ１００の通信制御部１０４には上記接続手段９を介して上記スキャナ８が接続されており、これによりタグカード製造装置３００、ＰＣ１００及びスキャナ８の間で情報の送受が可能となっている。一方、タグカード製造装置３００は、上記スキャナ８による電子ファイルの作成処理を行う制御機能を有する制御回路３０２″（電子ファイル作成手段）を有している。
【０１４９】
図２５は、ファイル付加情報及び印字情報等の設定入力時にタグカード製造装置３の制御回路３０２″によって実行される制御手順を表すフローチャートであり、前述の図３に対応する図である。図３と同様の手順には同符号を付し説明を省略する。
【０１５０】
図２５において前述の図３と異なる点は、ステップＳ３、ステップＳ５及びステップＳ７が追加された点である。すなわち、ステップＳ３では、通信制御部３０８及び接続手段２を介してＰＣ１００の制御回路１０５に制御信号を出力し、当該制御回路１０５（設定表示信号出力手段）から表示部１０１に表示信号を出力させることで、表示部１０１にスキャナ８による電子ファイルの作成処理を行うか否かの確認画面を表示させて、操作者に電子ファイル作成指示の入力を促す。そして、次のステップＳ５では、上記確認画面に応じて、操作者が操作部１０２を用いて電子ファイルの作成指示入力を行ったかどうかを判定する。作成指示の入力があり、その情報が通信制御部１０４及び接続手段２を介して受信されている場合には、判定が満たされ次のステップＳ７に移る。ステップＳ７では、通信制御部３０８及び接続手段２，９を介してスキャナ８に制御信号を出力し、スキャナ８を起動させて対象物の検出を行わせる。この検出信号は、接続手段９を介してＰＣ１００に出力され、適宜の場所（この例ではデータベース１０３）に電子ファイルとして格納される。
【０１５１】
この後のステップ１０〜ステップＳ１００については、前述の図３と同様であるので説明を省略する。なおこのとき、ステップＳ１０で行われる付加情報設定画面の表示（前述の図４参照）やステップＳ５０で行われる印字情報設定画面の表示（前述の図６参照）等は、前述のプレゼンテーションファイルの場合と異なり、スキャナ８で読み取って作成した電子ファイルに応じた画面表示を行うようになっている。例えば、図４に示す付加情報設定画面においては、「非表示スライドのチェック」が「非表示画像のチェック」となりウィンドウ５１内にスキャナ８で読み取った画像が表示され、図６に示す印字情報設定画面においては、ウィンドウ５７内にスキャナ８で読み取った複数の画像が表示され、ウィンドウ５９内にはラジオボタン５８で選択されたスキャナ画像のサムネイル画像が表示される。
【０１５２】
上記構成である本変形例によれば、所定の対象物を電子ファイル化したい場合に、スキャナ８によって対象物の光学的検出を行うことで、この検出結果に応じた電子ファイルを作成することができる。
【０１５３】
なお、上記では前述の一実施形態と同様に電子ファイルの格納先がＰＣ１００のデータベース１０３である場合を例にとって説明したが、これに限られず、前述の他の実施形態やさらに他の実施形態のように電子ファイルの格納先を外部メモリやサーバとしてもよい。
【０１５４】
また、上記スキャナ８で複数の対象物の検出を行う場合には、それら複数の対象物を一括して若しくは複数のうち所定個数ごと（例えば１ページごと）に、１つの電子ファイルとして、若しくは互いに関連づけて１つの電子ファイル群を形成させるようにしてもよい。これにより、電子ファイルとしたい一連の関連した複数の対象物（例えば１つの書類の複数ページ等）があった場合に、それら複数の対象物をばらばらに独立した電子ファイルとして形成するのでなく、１つの電子ファイル（又は互いに関連づけた電子ファイル群）とすることで、一括的に取り扱うことができる。
【０１５５】
（２）その他
以上においては、ファイル付加情報として、ファイルの属性情報（読み取り専用）及びファイルの処理態様情報（各スライドの表示／非表示）を例にとって説明したが、これに限られない。すなわち、ファイル属性情報としては、上記以外にも例えばファイル作成時のアプリケーションのバージョン情報やファイルの機密の程度を表す機密度情報等であってもよいし、ファイルの処理態様情報としては、上記以外にも例えば表示の濃淡や表示速度等の情報であってもよい。また、これら以外にも、電子ファイルの処理動作後の結果物の態様に係わる結果物態様情報（例えばファイル表示後のフォントや言語情報等）をファイル付加情報としてもよい。この場合、ＰＣ等の処理機器がファイルの表示動作を行うとき、上記ファイル付加情報に対応し、当該電子ファイルを所望のフォントや言語で表示させることができる。さらに、この他にも、電子ファイルの作成年月日やバージョン情報、又はファイル処理を行う推奨アプリケーション情報等をファイル付加情報としてもよい。
【０１５６】
また、以上においては、電子ファイルの処理の一例として、ＰＣ１００の表示部１０１による表示を一例として説明したが、これに限られず、例えばプリンタによる印刷、プロジェクタによる投影等の処理を行ってもよい。
【０１５７】
また、以上においては、印字及び無線タグ回路素子Ｔoへのアクセスの終了した印字済みタグラベル用テープ３０３をカッタ３０７で切断してタグカード１を作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（アクセス済みの無線タグ回路素子Ｔoが備えられかつ対応する印字がなされたもの）のみをテープから剥がしてタグカード１を作成しても良く、本発明はこのようなものに対しても適用できる。
【０１５８】
また、以上においては、無線タグ回路素子ＴoのＩＣ回路部１５０に無線タグ情報の書き込みを行うと共に、印字ヘッド３０５によってその無線タグ回路素子Ｔoを識別するための印刷を行うことによりタグカード１を作成するようにしたが、これに限られない。この印刷は必ずしも行われなくともよく、無線タグ情報の書き込みのみを行うものに対し本発明を適用することもできる。
【０１５９】
さらに、以上は、タグテープがリール部材の周りに巻回されてロールを構成し、タグテープロールホルダ部３１０内にそのロールが配置されてタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグカード製造装置側のタグテープロールホルダ部に装着して、上記収納部から移送、搬送して印字及び書き込みを行いタグカード１を作成するようにしてもよい。
【０１６０】
さらには長尺平紙状あるいは短冊状のテープやシートをタグカード製造装置３００外より１枚ずつ所定のフィーダ機構によって移送しタグカード製造装置３００内へ供給する構成も考えられる。この場合も同様の効果を得る。
【０１６１】
なお、以上で用いた「Scroll ALL ID」信号、「Ping」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１６２】
また、以上既に述べた以外にも、上記実施形態や各変形例による手法を適宜組み合わせて利用しても良い。
【０１６３】
その他、一々例示はしないが、本発明は、その趣旨を逸脱しない範囲内において、種々の変更が加えられて実施されるものである。
【図面の簡単な説明】
【０１６４】
【図１】本発明の一実施形態のタグカード製造装置を含む無線タグ生成システム全体を表すシステム構成図である。
【図２】無線タグ生成システムを構成するＰＣ及びタグカード製造装置の詳細機能を表す機能ブロック図である。
【図３】ファイル付加情報及び印字情報等の設定入力時にタグカード製造装置の制御回路によって実行される制御手順を表すフローチャートである。
【図４】ステップＳ１０においてＰＣの表示部に表示される付加情報設定画面の一例を表す図である。
【図５】ステップＳ３０においてＰＣの表示部に表示されるファイル保存先設定画面の一例を表す図である。
【図６】ステップＳ５０においてＰＣの表示部に表示される印字情報設定画面の一例を表す図である。
【図７】ステップＳ７０においてＰＣの表示部に表示されるタグ作成の確認画面の一例を表す図である。
【図８】ステップＳ１００の詳細手順を表すフローチャートである。
【図９】タグカード製造装置で作成されたタグカードの全体概略構造の一例を表す上面図である。
【図１０】タグカードに備えられた無線タグ回路素子の機能的構成の一例を表すブロック図である。
【図１１】タグカード製造装置で作成されたタグカードが有する無線タグ回路素子のＩＣ回路部のメモリ部のデータ構成の一例を表す図である。
【図１２】本発明の一実施形態のリーダを含む無線タグ読み取りシステム全体を表すシステム構成図である。
【図１３】無線タグ読み取りシステムを構成するＰＣ及びリーダの詳細機能を表す機能ブロック図である。
【図１４】タグカードの無線タグ情報の読み取り時にリーダの制御回路によって実行される制御手順を表すフローチャートである。
【図１５】本発明の他の実施形態のタグカード製造装置を含む無線タグ生成システムの全体を表すシステム構成図である。
【図１６】タグカード製造装置でタグカードを作成する際におけるファイルアクセス情報の設定入力時に、ＰＣの表示部に表示されるファイル保存先設定画面の一例を表す図である。
【図１７】本発明の他の実施形態のリーダを含む無線タグ読み取りシステムの全体を表すシステム構成図である。
【図１８】本発明のさらに他の実施形態のタグカード製造装置を含む無線タグ生成システムの全体を表すシステム構成図である。
【図１９】タグカード製造装置でタグカードを作成する際におけるファイルアクセス情報の設定入力時に、ＰＣの表示部に表示されるファイル保存先設定画面の一例を表す図である。
【図２０】ファイル付加情報及び印字情報等の設定入力時にタグカード製造装置の制御回路によって実行される制御手順を表すフローチャートである。
【図２１】タグカード製造装置で作成されたタグカードが有する無線タグ回路素子のＩＣ回路部のメモリ部のデータ構成の一例を表す図である。
【図２２】本発明のさらに他の実施形態のリーダを含む無線タグ読み取りシステムの全体を表すシステム構成図である。
【図２３】スキャナを用いて電子ファイルを作成する場合の変形例におけるタグカード製造装置を含む無線タグ生成システムの全体を表すシステム構成図である。
【図２４】スキャナを用いて電子ファイルを作成する場合の変形例における無線タグ生成システムを構成するＰＣ及びタグカード製造装置の詳細機能を表す機能ブロック図である。
【図２５】スキャナを用いて電子ファイルを作成する場合の変形例におけるファイル付加情報及び印字情報等の設定入力時にタグカード製造装置の制御回路によって実行される制御手順を表すフローチャートである。
【符号の説明】
【０１６５】
１              タグカード（無線タグ）
４              外部メモリ（外部記憶媒体）
７              情報サーバ（サーバ）
８              スキャナ（検出手段）
１００          ＰＣ（操作端末）
１０５          制御回路（設定表示信号出力手段）
１５０          ＩＣ回路部
２００          リーダ（無線タグ読み取り端末）
２０１          高周波回路（読み取り側情報アクセス手段）
２０２          制御回路（付加情報取得手段）
２０４          通信制御部（処理信号出力手段）
２１０          アンテナ（読み取り側アンテナ）
３００          タグカード製造装置（無線タグ作成端末）
３０１          高周波回路（作成側情報アクセス手段）
３０２          制御回路（ファイル付加情報生成手段、タグアクセス情報生成手段、ファイルアクセス情報生成手段、格納操作信号入力手段、印字操作信号入力手段、指示信号入力手段）
３０２″        制御回路（電子ファイル作成手段）
３０３          タグテープ（タグ媒体）
３０５          印字ヘッド（印字手段）
３０６          アンテナ（作成側アンテナ）
Ｔo             無線タグ回路素子
【図１】
2008065387.tif 000003
【図２】
2008065387.tif 000004
【図３】
2008065387.tif 000005
【図４】
2008065387.tif 000006
【図５】
2008065387.tif 000007
【図６】
2008065387.tif 000008
【図７】
2008065387.tif 000009
【図８】
2008065387.tif 000010
【図９】
2008065387.tif 000011
【図１０】
2008065387.tif 000012
【図１１】
2008065387.tif 000013
【図１２】
2008065387.tif 000014
【図１３】
2008065387.tif 000015
【図１４】
2008065387.tif 000016
【図１５】
2008065387.tif 000017
【図１６】
2008065387.tif 000018
【図１７】
2008065387.tif 000019
【図１８】
2008065387.tif 000020
【図１９】
2008065387.tif 000021
【図２０】
2008065387.tif 000022
【図２１】
2008065387.tif 000023
【図２２】
2008065387.tif 000024
【図２３】
2008065387.tif 000025
【図２４】
2008065387.tif 000026
【図２５】
2008065387.tif 000027